(57)【要約】【課題】ユーザに負担を強いることなく家計簿の入力支援を行う。また、ユーザに利便性を与える。【解決手段】レシート発行装置１もしくはカード発行装置により発行されるレシートもしくはカードには無線発信装置１０が備え付けられており、無線発信装置１０には、日付情報、店舗情報、商品情報、金額情報が記録されている。そして、ユーザが自宅にある端末装置３に備え付けの無線受信装置２に店舗で受領したレシートもしくはカードを近づけ無線発信装置に記録された内容を読み取り、入力支援を行う。また、商品情報毎の購買履歴に基づき購入パターンを解析し、時刻情報と対比して購入時期を予測して通知する。更に、食材に関係する商品を抽出し、ネットワークに接続して食材に関するレシピを検索して表示する。【選択図】      図１
2006323590.tif 000002
【特許請求の範囲】
【請求項１】
日付情報、店舗情報、商品情報ならびに金額情報を記憶する記憶手段を備え前記日付情報、前記店舗情報、前記商品情報ならびに前記金額情報を無線信号により発信する無線発信装置を含むことを特徴とするレシート。
【請求項２】
記憶手段を備えた無線発信装置を含むレシートを発行するレシート発行手段と、
商品が購入された際の店舗情報、商品情報ならびに金額情報と、計時手段から取得した日付情報とを前記レシート発行手段によって発行される前記レシートの前記記憶手段に記録する記録手段と
を備えたことを特徴とするレシート発行装置。
【請求項３】
日付情報、店舗情報、商品情報ならびに金額情報を記憶手段を備え前記日付情報、前記店舗情報、前記商品情報ならびに前記金額情報を無線信号により発信する無線発信装置を含むことを特徴とするカード。
【請求項４】
記憶手段を備えた無線発信装置を含むカードに対して情報を記録するカード記録装置であって、
商品が購入された際の店舗情報、商品情報ならびに金額情報と、計時手段から取得した日付情報とを前記記憶手段に記録する記録手段と
を備えたことを特徴とするカード記録装置。
【請求項５】
無線発信装置から発信される無線信号を受信する無線受信装置に接続され、家計簿の情報を記録するデータベースを備えた端末装置であって、
前記無線受信装置が前記無線発信装置から受信した前記無線信号に含まれる店舗情報、日付情報、商品情報ならびに金額情報を対応付けて前記データベースに記録する記録手段、
を備えたことを特徴とする端末装置。
【請求項６】
前記データベースに記憶された前記日付情報と前記商品情報とに基づき前記商品情報に対応する商品の購入予測日を解析して購入予測日情報として検出する購買履歴解析手段と、
前記購買履歴解析手段が検出する購入予測日情報と、計時手段から取得した日付情報とが一致するか否かを判定する購買時期予測提案手段と、
前記購買時期予測提案手段により前記購入予測日情報と、前記日付情報とが一致すると判定された場合、前記商品の購入を促す情報を通知する通知手段と、
を備えたことを特徴とする請求項５に記載の端末装置。
【請求項７】
前記データベースに蓄積された商品情報の中から在庫として存在すると類推される食材に関係する商品情報を解析して検出する食材在庫解析手段と、
ネットワークに接続して前記食材在庫解析手段により検出される商品情報の食材に関するレシピの情報を検索するレシピ検索手段と、
前記レシピ検索手段による検索結果を表示する表示手段と、
を備えたことを特徴とする請求項５または６に記載の端末装置。
【請求項８】
商品購入の際に発行されるレシートと、前記レシートを発行するレシート発行装置と、無線信号を受信する無線受信装置に接続され、家計簿の情報を記録するデータベースを備えた端末装置から構成される家計簿データ管理システムであって、
前記レシートは、
日付情報、店舗情報、商品情報ならびに金額情報を記憶する記憶手段を備え前記日付情報、前記店舗情報、前記商品情報ならびに前記金額情報を無線信号により発信する無線発信装置を含んでおり、
前記レシート発行装置は、
前記レシートを発行するレシート発行手段と、
商品が購入された際の店舗情報、商品情報ならびに金額情報と、計時手段から取得した日付情報とを前記レシート発行手段によって発行される前記レシートの前記記憶手段に記録する記録手段と
を備え、
前記端末装置は、
前記無線受信装置が受信した前記無線発信装置から発信される前記無線信号に含まれる店舗情報、日付情報、商品情報ならびに金額情報を対応付けて前記データベースに記録する記録手段
を備えたことを特徴とする家計簿データ管理システム。
【請求項９】
前記レシート発行装置及び前記端末装置を接続するネットワークを備え、
前記レシート発行装置は、
前記店舗情報、前記日付情報、前記商品情報ならびに前記金額情報を含む情報を前記ネットワークを介して前記端末装置に送信する送信手段を備え、
前記端末装置は、
前記ネットワークを介して前記レシート発行装置から受信した前記情報に含まれる店舗情報と日付情報と商品情報ならびに金額情報とを対応付けて前記データベースに記録する第２の記録手段を備えたことを特徴とする請求項８に記載の家計簿データ管理システム。
【請求項１０】
日付情報、店舗情報、商品情報ならびに金額情報を記憶する記憶手段を備え前記日付情報、前記店舗情報、前記商品情報ならびに前記金額情報を無線信号により発信する無線発信装置を含むレシートと、前記レシートを発行するレシート発行装置と、無線信号を受信する無線受信装置に接続され、家計簿の情報を記録するデータベースを備えた端末装置から構成される家計簿データ管理システムにおける家計簿データ管理方法であって、
前記レシート発行装置が、前記レシートを発行するステップと、
前記レシート発行装置が、商品が購入された際の店舗情報、商品情報ならびに金額情報と、計時手段から取得した日付情報とを発行される前記レシートの前記記憶手段に記録するステップと、
前記端末装置が、前記無線受信装置が受信した前記無線発信装置から発信される前記無線信号に含まれる店舗情報、日付情報、商品情報ならびに金額情報を対応付けて前記データベースに記録するステップと、
を備えたことを特徴とする家計簿データ管理方法。
【請求項１１】
無線発信装置から発信される無線信号を受信する無線受信装置に接続され、家計簿の情報を記録するデータベースを備えた端末装置のコンピュータを、
前記無線受信装置が前記無線発信装置から受信した前記無線信号に含まれる店舗情報、日付情報、商品情報ならびに金額情報を対応付けて前記データベースに記録する記録手段、
として機能させるためのコンピュータプログラム。
【請求項１２】
請求項１１に記載のコンピュータプログラムを記録したコンピュータ読み取り可能な記録媒体。
【発明の詳細な説明】
【技術分野】
【０００１】
本発明は、家計簿の記録を容易にするレシートおよびレシート発行装置、カードおよびカード記録装置、端末装置、家計簿データ管理システム、家計簿データ管理方法、コンピュータプログラム、記録媒体に関する。
【背景技術】
【０００２】
従来の家計簿は、市販のアプリケーションプログラムも含めて支出データを入力する手間が多く、作成することがなかなか継続できない一因となっている。また、レシートに記載の最終会計金額のみを管理するのではなく、購入した品目毎に管理しようとすれば更にデータ入力が大変である。
【０００３】
ところで、クレジッカード支払いに関して以下のサービスが存在する。例えば、ＩＣカードや携帯電話に無線通信チップを内蔵させ、非接触で料金支払いが可能なプリペイド型電子マネーのＦｅｌｉｃａ（登録商標）やＥｄｙ（登録商標）、そして、後払い式の非接触ＩＣ決済サービスのＱＵＩＣＰａｙ（Ｑｕｉｃｋ＆Ｕｓｅｆｕｌ＆ＩＣ  Ｐａｙｍｅｎｔ）などが存在する。発行事業者は、購買履歴を蓄積してマーケティングに利用しているが、ユーザがそれを利用することは出来ない。
また、Ｍｉｃｒｏｓｏｆｔ（登録商標）Ｍｏｎｅｙ２００５という市販のアプリケーションプログラムを用いれば、これまでのクレジットの利用履歴をインターネット経由でダウンロードできる。しかし、これらはクレジットカードに限定される。
【０００４】
クレジットカードとは別に、家計簿の記録を容易にするため従来から多数の技術が提案されている。例えば、ユーザがレシート（アナログデータ）等を画像化およびテキスト化（ディジタルデータ化）して家計簿への入力支援を行うもの（特許文献１参照）、ＩＣカード、ＦＤ、磁気ストライプカード等の記憶媒体を用いて取引履歴の管理を行うもの（特許文献２参照）等がある。
【特許文献１】特開２００３−１２２９１６号公報
【特許文献２】特開平５−６４８７号公報
【発明の開示】
【発明が解決しようとする課題】
【０００５】
しかしながら、上記した特許文献１に開示された技術によれば、レシートを画像およびテキストに変換する手間が生じ、そのうち、テキスト化する手間を外部にサービス委託した場合、その情報に関するプライバシが新たな問題になる。
また、特許文献２に開示された技術によれば、ユーザが用いる家計簿システムにこの記憶媒体の読み取り装置を備える必要があり、また、記憶媒体からの読み取りに伴う手間が必要であるという問題がある。
【０００６】
本発明は上記諸々の事情に基づいてなされたものであり、無線発信装置を活用することによりユーザに負担を強いることなく家計簿の入力支援を行う、レシートおよびレシート発行装置、カードおよびカード発行装置、端末装置、家計簿データ管理システム、家計簿データ管理方法、コンピュータプログラム、記録媒体を提供することを目的とする。
【課題を解決するための手段】
【０００７】
上記した課題を解決するために、本発明は、日付情報、店舗情報、商品情報ならびに金額情報を記憶する記憶手段を備え前記日付情報、前記店舗情報、前記商品情報ならびに前記金額情報を無線信号により発信する無線発信装置を含むことを特徴とするレシートである。
【０００８】
本発明は、記憶手段を備えた無線発信装置を含むレシートを発行するレシート発行手段と、商品が購入された際の店舗情報、商品情報ならびに金額情報と、計時手段から取得した日付情報とを前記レシート発行手段によって発行される前記レシートの前記記憶手段に記録する記録手段とを備えたことを特徴とするレシート発行装置である。
【０００９】
本発明は、日付情報、店舗情報、商品情報ならびに金額情報を記憶手段を備え前記日付情報、前記店舗情報、前記商品情報ならびに前記金額情報を無線信号により発信する無線発信装置を含むことを特徴とするカードである。
【００１０】
本発明は、記憶手段を備えた無線発信装置を含むカードに対して情報を記録するカード記録装置であって、商品が購入された際の店舗情報、商品情報ならびに金額情報と、計時手段から取得した日付情報とを前記記憶手段に記録する記録手段と、を備えたことを特徴とするカード記録装置である。
【００１１】
本発明は、無線発信装置から発信される無線信号を受信する無線受信装置に接続され、家計簿の情報を記録するデータベースを備えた端末装置であって、前記無線受信装置が前記無線発信装置から受信した前記無線信号に含まれる店舗情報、日付情報、商品情報ならびに金額情報を対応付けて前記データベースに記録する記録手段、を備えたことを特徴とする端末装置である。
【００１２】
本発明は、上記に記載の発明において、前記データベースに記憶された前記日付情報と前記商品情報とに基づき前記商品情報に対応する商品の購入予測日を解析して購入予測日情報として検出する購買履歴解析手段と、前記購買履歴解析手段が検出する購入予測日情報と、計時手段から取得した日付情報とが一致するか否かを判定する購買時期予測提案手段と、前記購買時期予測提案手段により前記購入予測日情報と、前記日付情報とが一致すると判定された場合、前記商品の購入を促す情報を通知する通知手段と、を備えたことを特徴とする。
【００１３】
本発明は、上記に記載の発明において、前記データベースに蓄積された商品情報の中から在庫として存在すると類推される食材に関係する商品情報を解析して検出する食材在庫解析手段と、ネットワークに接続して前記食材在庫解析手段により検出される商品情報の食材に関するレシピの情報を検索するレシピ検索手段と、前記レシピ検索手段による検索結果を表示する表示手段と、を備えたことを特徴とする。
【００１４】
本発明は、商品購入の際に発行されるレシートと、前記レシートを発行するレシート発行装置と、無線信号を受信する無線受信装置に接続され、家計簿の情報を記録するデータベースを備えた端末装置から構成される家計簿データ管理システムであって、前記レシートは、日付情報、店舗情報、商品情報ならびに金額情報を記憶する記憶手段を備え前記日付情報、前記店舗情報、前記商品情報ならびに前記金額情報を無線信号により発信する無線発信装置を含んでおり、前記レシート発行装置は、前記レシートを発行するレシート発行手段と、商品が購入された際の店舗情報、商品情報ならびに金額情報と、計時手段から取得した日付情報とを前記レシート発行手段によって発行される前記レシートの前記記憶手段に記録する記録手段とを備え、前記端末装置は、前記無線受信装置が受信した前記無線発信装置から発信される前記無線信号に含まれる店舗情報、日付情報、商品情報ならびに金額情報を対応付けて前記データベースに記録する記録手段を備えたことを特徴とする家計簿データ管理システムである。
【００１５】
本発明は、上記に記載の発明において、前記レシート発行装置及び前記端末装置を接続するネットワークを備え、前記レシート発行装置は、前記店舗情報と前記商品情報と前記金額情報と前記日付情報を含む情報を前記ネットワークを介して前記端末装置に送信する送信手段を備え、前記端末装置は、前記ネットワークを介して前記レシート発行装置から受信した前記情報に含まれる店舗情報と日付情報と商品情報と金額情報とを対応付けて前記データベースに記録する第２の記録手段を備えたことを特徴とする。
【００１６】
本発明は、日付情報、店舗情報、商品情報ならびに金額情報を記憶する記憶手段を備え前記日付情報、前記店舗情報、前記商品情報ならびに前記金額情報を無線信号により発信する無線発信装置を含むレシートと、前記レシートを発行するレシート発行装置と、無線信号を受信する無線受信装置に接続され、家計簿の情報を記録するデータベースを備えた端末装置から構成される家計簿データ管理システムにおける家計簿データ管理方法であって、前記レシート発行装置が、前記レシートを発行するステップと、前記レシート発行装置が、商品が購入された際の店舗情報、商品情報ならびに金額情報と、計時手段から取得した日付情報とを発行される前記レシートの前記記憶手段に記録するステップと、前記端末装置が、前記無線受信装置が受信した前記無線発信装置から発信される前記無線信号に含まれる店舗情報、日付情報、商品情報ならびに金額情報を対応付けて前記データベースに記録するステップと、を備えたことを特徴とする家計簿データ管理方法である。
【００１７】
本発明は、無線発信装置から発信される無線信号を受信する無線受信装置に接続され、家計簿の情報を記録するデータベースを備えた端末装置のコンピュータを、前記無線受信装置が前記無線発信装置から受信した前記無線信号に含まれる店舗情報、日付情報、商品情報ならびに金額情報を対応付けて前記データベースに記録する記録手段、として機能させるためのコンピュータプログラムである。
【００１８】
本発明は、上記に記載のコンピュータプログラムを記録したコンピュータ読み取り可能な記録媒体である。
【発明の効果】
【００１９】
本発明によれば、店舗においてレシート発行装置により発行されるレシートもしくはカード記録装置により情報が記録されるカードに無線発信装置が備え付けられており、また、無線発信装置には、日付情報、店舗情報、商品情報、金額情報が記録されている。そして、ユーザが自宅にある端末装置に接続される無線受信装置を用いて、店舗で受領したレシートもしくはカードを近づけるだけで無線発信装置に記録された情報を無線受信装置に読み取らせることができ、端末装置が無線受信装置から情報を受信して、データベースに記録することで入力支援を行う。このことにより、ユーザの家計簿の情報の入力にかかる負担を大幅に軽減することができる。
【００２０】
また、端末装置のデータベースに蓄積された日付情報と商品情報とに基づき商品情報に対応する商品の購入予測日を検出し、検出した購入予測日情報と、現在の日付情報とが一致するか否かを判定して、一致する場合に商品の購入を促す情報を通知することで適当なタイミングでユーザに購入を促すことを可能としている。また、さらに、データベースに蓄積された商品情報の中から在庫として存在していると類推される食材に関係する商品情報を検出し、ネットワークに接続して検出した商品情報の食材に関するレシピを検索して表示することでユーザに利便性を提供することができる。
【発明を実施するための最良の形態】
【００２１】
図１は、本発明実施形態にかかわる家計簿データ管理システムのシステム構成の一例を示す図である。
本発明実施形態にかかわる家計簿データ管理システムは、店舗に設置されるレシート発行装置１と、自宅にある無線タグリーダ２（別紙特許請求の範囲に記載の無線受信装置）、およびＰＣ等から成る家計簿端末３（別紙特許請求の範囲に記載の端末装置）で構成される。無線タグリーダ２および家計簿端末３は家庭内ＬＡＮ４（Ｌｏｃａｌ  Ａｒｅａ  Ｎｅｔｗｏｒｋ）を介して接続される。なお、家庭内ＬＡＮは必須ではなく、無線タグリーダ２が備えているＰＣ接続インタフェースであってもよい。
【００２２】
店舗で発行されるレシートには無線タグ１０（別紙特許請求の範囲に記載の無線発信装置であり、ＲＦＩＤ（Ｒａｄｉｏ  Ｆｒｅｑｕｅｎｃｙ  Ｉｄｅｎｔｉｆｉｃａｔｉｏｎタグともいう）が付属し、当該無線タグ１０には、例えば、図３にその一例が示されるように、レシートに記載されている日付情報（日付）と、店舗情報（店舗）と、商品情報（品目）と、金額情報（金額）とが内部の記憶領域に記録されている。このレシートをユーザが受取って自宅に持ち帰り、自宅のＰＣ（家計簿端末３）に接続されている無線タグリーダ２が読み取れる距離に近づけることで、無線タグ１０が内部の記憶領域に記憶している情報が無線タグリーダ２により読み取られ、無線タグリーダ２から家計簿端末３にインストールされた家計簿アプリケーションプログラムに送信される。
【００２３】
レシート発行装置１は、タイマ（別紙特許請求の範囲に記載の計時手段）と、無線タグ１０が付属のレシートを発行するレシート発行機（別紙特許請求の範囲に記載のレシート発行手段）と、上記した無線タグ１０に記録された店舗情報、商品情報ならびに金額情報と、タイマから取得した日付情報とを対応付けて記録する記録装置（別紙特許請求の範囲に記載の記録手段）とを備えている。上記したタイマ、レシート発行機、記録装置はいずれもレシート発行機が無線タグ付属のレシートを発行する以外、ＰＯＳ（Ｐｏｉｎｔ  Ｏｎ  Ｓａｌｅｓ）端末と同様の構成を有する。
【００２４】
なお、ここでは、店舗に設置されたレシート発行装置１が無線タグ１０付きのレシートを発行することとしているが、代替としてカード記録装置が無線タグ実装のカードに情報を記録するようにしてもよい。カード記録装置もカードに付属の無線タグ１０に情報を記録する以外、ＰＯＳ（Ｐｏｉｎｔ  Ｏｎ  Ｓａｌｅｓ）端末と同様の構成を有する。
また、家計簿端末３には市販の家計簿アプリケーションプログラムがインストールされてあるものとし、ここでは、以下に示す２つの機能追加がなされるものとする。一つは、家計簿アプリケーションプログラムのデータベースからユーザの商品の購買間隔を解析し、解析した購買間隔に従い購入時期が迫った消耗品等の購入をユーザに通知する購買時期予測提案機能であり、他の一つは、データベースから冷蔵庫等に存在すると想定される食材を検出し、検出した食材の情報に基づいてインターネットのサーバ等から調理可能なレシピを検索してユーザに提示するレシピ検索機能である。いずれも詳細は後述する。
【００２５】
図２は、本発明実施形態にかかわる家計簿端末３の内部構成を機能展開して示したブロック図である。
本発明実施形態にかかわる家計簿端末３は、購買ＤＢ３０と、購買情報取込み部３１と、ＤＢ制御部３２と、購買履歴解析部３３と、購買時期予測提案部３４と、計時部３５と、食材在庫解析部３６と、ネットワーク接続制御部３７と、レシピ検索部３８で構成される。
【００２６】
購買ＤＢ３０のデータ構造の一例が図４に示されている。購買ＤＢ３０には、無線タグ１０から読み取られる日付情報、店舗情報、商品情報、金額情報の情報が格納される。なお、日付情報は、レシート発行装置１が内蔵するタイマ（計時手段）が計時する現在時刻であり、同じエントリに記録される店舗情報、商品情報、金額情報に対応付けて記録される。
購買情報取込み部３１は、無線タグリーダ２によって読み取られた無線タグ１０の記録内容を取込み、ＤＢ制御部３２へ供給する。ＤＢ制御部３２は、購買情報取込み部３１によって取込まれた無線タグ１０の記録内容の購買ＤＢ３０への格納を制御する他に、購買履歴解析部３３と食材在庫解析部３６による購買ＤＢ３０の参照を制御する。
【００２７】
購買履歴解析部３３は、購買ＤＢ３０に蓄積された商品情報毎の購買履歴に基づき購入間隔を解析する機能を有し、購買時期予測提案部３４は、計時部３５から取得した時刻情報と対比して購入時期を予測し、液晶モニタ等の表示手段もしくは通知手段を用いてユーザに通知する。
食材在庫解析部３６は、購買ＤＢ３０に蓄積された商品情報の中から冷蔵庫等に保管された在庫食材に関係する商品を抽出する機能を有し、ネットワーク接続制御部３７は、インターネット等外部のネットワークに接続して食材に関するレシピを検索する機能を有する。そして、レシピ検索部３８により、検索結果を液晶モニタ等の表示手段に表示させてユーザに通知する。
【００２８】
図５〜図８は、本発明実施形態にかかわる家計簿データ管理システムの動作を説明するために引用した図であり、無線タグリーダ２のデータ読み込み動作シーケンス図（図５）、消耗品等の購買時期提案処理フローチャート（図６）、消耗品等の購買時期提案処理に関する動作概念図（図７）、在庫食材のレシピ検索処理フローチャート（図８）、のそれぞれを示す。
以下、図５〜図８を参照しながら図１〜図４に示す本発明実施形態の動作について詳細に説明する。
【００２９】
図５に示す無線タグリーダ２のデータ読み込み動作シーケンスから説明する。ここでは、レシートあるいはカードに付属の無線タグ１０は、当該無線タグ１０を無線タグリーダ２に近づけることにより生じる電磁誘導により電力が供給され（Ｓ５０）、無線による通信が可能になる。
まず、無線タグリーダ２から無線タグ１０に対して購買情報の要求コマンドが無線信号により送信される（Ｓ５１）。このコマンド応答して無線タグ１０から購買情報が読み取られ、購買情報が無線信号により無線タグリーダ２に送信される（Ｓ５２）。ここで読み取られた購買情報は、一旦無線タグリーダ２に内蔵のメモリ（図示せず）に蓄積される。
【００３０】
次に、無線タグリーダ２は、家計簿端末３に対して家庭内ＬＡＮ４経由で購買情報の探索要求を発行する（Ｓ５４）。無線タグリーダ２は、家計簿端末３から応答確認を得た後（Ｓ５５）、メモリに一旦蓄積された購買情報を読み取り、家計簿端末３へ送信する（Ｓ５６）。家計簿端末３では、購買情報取込み部３１が、無線タグ１０から無線タグリーダ２を介して読み取った内容、すなわち、日付情報と店舗情報と商品情報と金額情報とを取り込み、ＤＢ制御部３２によりそれぞれが対応付けられ、購買ＤＢ３０に記録される。このことにより、家計簿端末３には人手を介さずに購買履歴が収集されることになる。
なお、無線タグリーダ２は、上記したように家庭内ＬＡＮ４に接続するためのインタフェースを備えているため、家計簿端末３を起動した際、家庭内ＬＡＮ４経由で無線タグリーダ２が接続され、無線タグリーダ２内蔵のメモリに蓄積された購買情報がダウンロードされるようにしてもよい。
なお、レシート発行装置１にて無線タグ１０付きのレシートを発行するのではなく、無線タグ１０に記録する日付情報、店舗情報、商品情報、金額情報を含む電子メールをインターネット等を介して家計簿端末３に送信し、家計簿端末３は、受信する電子メールに含まれる日付情報、店舗情報、商品情報、金額情報を対応付けて購買ＤＢ３０に記録する構成としてもよい。
【００３１】
続いて図６に示すフローチャートを参照しながら家計簿端末３による消耗品の購買時期提案機能について説明する。購買時期提案機能とは、日用品や食料品の在庫管理は目視によるチェックに頼るところが大きく不注意等により買い揃えておくことを忘れることも多いため、上記のように品目毎に細分化されている家計簿端末３に収集された購買履歴情報を利用することで予測される購買時期を検出する機能である。最初に、日付情報、店舗情報、商品情報、金額情報を含む購買情報が購買情報取込み部３１によって取込まれ（Ｓ６１）、購買ＤＢ３０に記録される。記録された購買情報は（Ｓ６２）、購買履歴解析部３３により日付情報と、商品情報とに基づいて長期的に分析される（Ｓ６３）。このことにより、ユーザの商品ごとの購買間隔を解析することができる。
【００３２】
例えば、図７に示されるように、購買履歴情報から各品目の購買間隔を解析して検出し、それに基づき、次の購買時期を予測して提案することが可能である。
ここでは、購買時期予測提案部３４が、予測した購買時期αと、計時部３５から取得した時刻情報（現在時刻β）とを比較し（Ｓ６４）、一致したときに、液晶モニタ等の表示手段もしくは通知手段を用いて適当な購買時期をユーザに通知する（Ｓ６５）。
【００３３】
次に、図８に示すフローチャートを参照しながら家計簿端末３による食材のレシピ検索機能について説明する。レシピ検索機能は、在庫として存在すると思われる食材だけを使って調理可能なメニューをインターネットを介して検索する機能である。最初に、日付情報、店舗情報、商品情報、金額情報を含む購買情報が購買情報取込み部３１によって取り込まれ（Ｓ８１）、ＤＢ制御部３２を介して購買ＤＢ３０に記録される（Ｓ８２）。食材在庫解析部３６は、真の在庫の情報ではないが、在庫として存在すると類推される商品情報を購買ＤＢ３０に記録された日付情報と商品情報とに基づいて検出する（Ｓ８３）。そして、商品情報の情報をキーワードに、ローカルホスト（内部）で保持しているレシピのデータベース、あるいはリモートホスト（外部）が記憶しているレシピのデータベースを検索し、その結果を出力する。
【００３４】
ここでは、食材在庫解析部３６が、購買ＤＢ３０に蓄積された商品情報の中から食材に関係する商品を抽出してレシピ検索を行う（Ｓ８４）。具体的に、食材在庫解析部３６がネットワーク接続制御部３７を起動してインターネット等外部のネットワークに接続し（Ｓ８５）、食材に関するレシピの検索要求を行う。このことにより該当のレシピを入手し、レシピ検索部３８によりその検索結果が液晶モニタ等の表示手段に表示されユーザに通知する（Ｓ８６）。
【００３５】
以上説明のように本発明実施形態によれば、店舗においてレシート発行装置もしくはカード発行装置により発行されるレシートもしくはカードに無線発信装置が備え付けられており、また、無線発信装置には、日付情報、店舗情報、商品情報、金額情報が記録されている。店舗で買い物を行い、レシートもしくはカードを受領したユーザが自宅に持ち帰り、自宅にある端末装置に備え付けの無線受信装置に、持ち帰ったレシートもしくはカードを近づけるだけで、無線発信装置に記録された内容を読み取ることができ、家計簿アプリケーションプログラムに登録することで入力支援を行うことができる。このことにより、ユーザの家計簿アプリケーションプログラムのデータ入力にかかる負担が大幅に軽減される。
【００３６】
また、本発明実施形態によれば、家計簿アプリケーションプログラムのデータベースに記憶された商品情報毎の購買履歴に基づき購入パターンを解析し、日付情報と対比して購入時期を予測して通知することでユーザにその商品の購入を促し、更に、データベースに蓄積された商品情報の中から在庫として存在すると類推される食材に関係する商品情報を検出し、ネットワークに接続して検出した商品情報の食材に関するレシピを検索して表示することで、ユーザに利便性を提供することができる。
【００３７】
上述の家計簿端末３は内部に、コンピュータシステムを有している。そして、上述した無線タグリーダから取り込んだ日付情報と店舗情報と商品情報と金額情報とを購買ＤＢに記録する処理、消耗品の購買時期提案機能による処理、レシピ検索機能による処理は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
また、「コンピュータシステム」は、ＷＷＷシステムを利用している場合であれば、ホームページ提供環境（あるいは表示環境）も含むものとする。
【００３８】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【００３９】
また、上記プログラムは、前述した機能の一部を実現するためのものであっても良い。さらに、前述した機能をコンピュータシステムにすでに記録されているプログラムとの組合せで実現できるもの、いわゆる差分ファイル（差分プログラム）であっても良い。
【図面の簡単な説明】
【００４０】
【図１】本発明実施形態にかかわる家計簿データ管理システムのシステム構成の一例を示す図である。
【図２】本発明実施形態にかかわる家計簿端末の内部構成を機能展開して示したブロック図である。
【図３】本発明実施形態にかかわるレシートを示す図である。
【図４】図２に示す購買ＤＢのデータ構造の一例を示す図である。
【図５】本発明実施形態にかかわる家計簿データ管理システムの購買情報読み取りに関する動作シーケンス図である。
【図６】本発明実施形態にかかわる家計簿データ管理システムの購買時期予測処理フローチャートである。
【図７】本発明実施形態にかかわる家計簿データ管理システムの購買時期予測のための動作概念図である。
【図８】本発明実施形態にかかわる家計簿データ管理システムのレシピ検索処理フローチャートである。
【符号の説明】
【００４１】
１…レシート発行装置、２…無線タグリーダ、３…家計簿端末、４…家庭内ＬＡＮ、１０…無線タグ、３０…購買ＤＢ、３１…購買情報取込み部、３２…ＤＢ制御部、３３…購買履歴解析部、３４…購買時期予測提案部、３５…計時部、３６…食材在庫解析部、３７…ネットワーク接続制御部、３８…レシピ検索部
【図１】
2006323590.tif 000003
【図２】
2006323590.tif 000004
【図３】
2006323590.tif 000005
【図４】
2006323590.tif 000006
【図５】
2006323590.tif 000007
【図６】
2006323590.tif 000008
【図７】
2006323590.tif 000009
【図８】
2006323590.tif 000010